(57)【要約】      （修正有）【課題】危険、故障等の異状事態を緊急自動通報器により音声ガイダンスすると共に、付帯の携帯電話から指定先携帯電話へ音声ガイダンスで知らせる緊急自動通報機能付きボイスガイダンスユニットを提供する。【解決手段】緊急自動通報器１が遠隔地である神社寺院、重要文化財、別荘などで異常を感知すると、或いは機械などの故障を検知して、複数の音声を収録したスピーカー付き音声収録装置５のスピーカー部により予め収録された複数の音声の中から任意に音声を選定して音声ガイダンスによって近くの人に異常を知らせると共に、緊急自動通報器１付帯の携帯電話２により指定先電話番号に自動ダイヤルを行う。管理者・警備会社・災害監視指令センターの受信電話では、ナンバーディスプレー表示の送信先電話番号及び受話器の音声ガイダンスから異常を知ることができる。【選択図】図１
0003133007.tif 000002
【実用新案登録請求の範囲】
【請求項１】
緊急自動通報器と携帯電話と複数の音声を収録したスピーカー付き音声収録装置とを自動通報回路基板付イヤホンマイクで接続し、一体にボックス内に収納したことを特徴とする緊急自動通報機能付きボイスガイダンスユニット。
【請求項２】
緊急自動通報器と携帯電話と複数の音声を収録したスピーカー付き音声収録装置とを外部入力端子付きの自動通報回路基板付イヤホンマイクで接続し、一体にボックス内に収納したことを特徴とする緊急自動通報機能付きボイスガイダンスユニット。
【請求項３】
前記緊急自動通報器は、危険、故障等の検知信号を入力する入力部と、複数の音声を収録したスピーカー付き音声収録装置によって近くの人に危険、故障等を音声案内できることと、同時に予め指定された電話番号に自動ダイヤルし、受信者も音声案内を聞くことができるスピーカー部から構成されることを特徴とする請求項１又は２記載の緊急自動通報機能付きボイスガイダンスユニット。
【請求項４】
前記携帯電話は、外部入力端子付きの自動通報回路基板付イヤホンマイクを介して、Ａ／Ｂいずれの接点入力ができ、且つ接点の状態変化を検知し、指定先電話番号に自動ダイヤルすることができることを特徴とする請求項２記載の緊急自動通報機能付きボイスガイダンスユニット。
【請求項５】
前記外部入力端子付きの自動通報回路基板付イヤホンマイクは、平型または丸型プラグに構成されていることを特徴とする請求項２記載の緊急自動通報機能付きボイスガイダンスユニット。
【考案の詳細な説明】
【技術分野】
【０００１】
本考案は、危険、故障等の異状事態を緊急自動通報器により音声ガイダンスすると共に、付帯の携帯電話から指定先携帯電話へ音声ガイダンスで知らせる緊急自動通報機能付きボイスガイダンスユニットに関する。
【背景技術】
【０００２】
従来、警戒エリアにおいて、火災エリアとの位置関係に応じた的確な情報を個別に通報する携帯電話を利用した緊急通報システムが知られている（特許文献１を参照）。
この公知技術では、火災報知器の発報エリアを特定する発報エリア特定手段と、携帯電話子機の位置を検出する携帯電話位置検出手段と、発報エリア特定手段により発報エリアが特定されたとき、該発報エリアに対応して警戒エリアを判定し、携帯電話位置検出手段により検出された携帯電話子機の位置が警戒エリアにあるとき、当該携帯電話子機に対し緊急メッセージを送信し、ＰＨＳ子機を携帯する者に個別に火災発生エリアとの位置関係に応じて的確なメッセージを送信するものである。
しかし、上記公知技術は、火災報知器の発報を警戒エリア、例えば同じ高層ビル内の滞留者に緊急通報するＰＨＳ子機を利用した緊急通報システムであり、遠隔地のビル管理者等に知らせるものではなかった。
【特許文献１】特開２００１−２１６５９１号公報
【考案の開示】
【考案が解決しようとする課題】
【０００３】
本考案は、危険、故障等の異状事態を検知センサーからの接点信号入力で検知し、緊急自動通報器により予め収録された複数の音声の中から任意に音声を選定して音声ガイダンスすると共に、付帯の携帯電話から指定先携帯電話へ音声ガイダンスで知らせる緊急自動通報機能付きボイスガイダンスユニットを提供することを目的とする。
【課題を解決するための手段】
【０００４】
本考案の緊急自動通報機能付きボイスガイダンスユニットは、危険、故障等の異状事態を検知すると緊急自動通報器から予め収録された複数の音声の中から任意に音声を選定して音声ガイダンスすると共に、出力される接点信号のＡ接点またはＢ接点の状態変化を検知して自動通信回路搭載イヤホンマイクを介し、付帯の携帯電話から指定先電話に自動ダイヤルするものである。
本考案の緊急自動通報器は、危険、故障等の検知信号を入力する入力部と、複数の音声を収録したスピーカー付き音声収録装置によって近くの人に危険、故障等を音声案内できることと、同時に予め指定された電話番号に自動ダイヤルし、受信者も音声案内を聞くことができるスピーカー部から構成されるものである。
【考案の効果】
【０００５】
本考案の緊急自動通報機能付きボイスガイダンスユニットは、危険、故障等の異状事態を緊急自動通報器付帯の携帯電話から指定先携帯電話へ予め収録された複数の音声の中から任意に音声を選定して音声ガイダンスで知らせるので、管理者・警備会社・災害監視指令センターでは受信した電話番号から異常発信場所を特定、同時に受話器から聞こえる音声ガイダンスから現場の状況を知ることができ、異常状況に対応した行動を取ることができる効果がある。
【考案を実施するための最良の形態】
【０００６】
本考案の緊急自動通報機能付きボイスガイダンスユニットの一実施例を添付図面に基づいて、以下に説明する。
図１は、本考案の緊急自動通報機能付きボイスガイダンスユニットの概略図であり、１は緊急自動通報器、２は緊急自動通報器１付帯の携帯電話、３は自動通報回路搭載イヤホンマイク、４は緊急自動通報器１、緊急自動通報器１付帯の携帯電話２、自動通報回路搭載イヤホンマイク３を一体に収納するボックス、５は複数の音声を収録した発声スピーカー付き音声収録装置である。
【０００７】
前記緊急自動通報器１は、危険、故障等の検知信号を入力する入力部と、複数の音声を収録したスピーカー付き音声収録装置５によって近くの人に危険、故障等を音声案内できることと、同時に予め指定された電話番号に自動ダイヤルし、受信者も音声案内を聞くことができるスピーカー部とから構成される。
前記携帯電話２は、外部入力端子付きの自動通報回路搭載イヤホンマイク３を使用してハンズフリーで会話のできる機種で、Ａ／Ｂいずれの接点入力ができ、且つ接点の状態変化を検知し、指定先電話番号に自動ダイヤルすることができるものである。
前記外部入力端子付きの自動通報回路搭載イヤホンマイク３は、ハンズフリーで会話ができるように平型または丸型プラグに構成されている。
【０００８】
次に、本考案の緊急自動通報機能付きボイスガイダンスユニットの操作動作を添付図面に基づいて、以下に説明する。
本考案の緊急自動通報機能付きボイスガイダンスユニットを遠隔地である、例えば故障が想定される駐車場機械や、自動生産機械、自動販売機や神社寺院、重要文化財、無人倉庫、建築中の建物、飲食店、高齢者住宅、別荘などに設置する。
前記緊急自動通報器１付帯の携帯電話２には、あらかじめ非常時に通報したい指定先電話番号を入力しておき、緊急自動通報器１と予め目的に対応できる検知センサーとを外部入力端子付きの自動通報回路搭載イヤホンマイク３を介して一体に接続する。
【０００９】
前記緊急自動通報器１が遠隔地である神社寺院、重要文化財、無人倉庫、建築中の建物、飲食店、高齢者住宅、別荘などで赤外線センサーやドアセンサーにより人を感知すると、或いは機械などの故障を検知して、複数の音声を収録したスピーカー付き音声収録装置５のスピーカー部により予め収録された複数の音声の中から任意に音声を選定して音声ガイダンスによって近くの人に異常を知らせると共に、緊急自動通報器１付帯の携帯電話２により指定先電話番号に自動ダイヤルを行う。
管理者・警備会社・災害監視指令センターの受信電話では、ナンバーデスプレー表示の送信先電話番号及び受話器の音声ガイダンスから神社寺院、重要文化財、無人倉庫、建築中の建物、飲食店、高齢者住宅、別荘や機械の故障などの異常を知ることができるし、また必要に応じて機械のメンテナンス対応や、必要に応じて警察などへの出動要請ができる。
【００１０】
このように、本考案の緊急自動通報機能付きボイスガイダンスユニットは、遠隔地の火災発生や不審者侵入、機械の故障その他、非常事態を緊急自動通報器１付帯の携帯電話２から指定先携帯電話へ警報音で知らせるので、管理者・警備会社・災害監視指令センターでは受信した電話番号から異常発信場所を特定し、同時に受話器から聞こえる音声ガイダンスから現場の状況を知ることができ、異常状況に対応した行動を取ることができる。
【図面の簡単な説明】
【００１１】
【図１】本考案の緊急自動通報機能付きボイスガイダンスユニットの概略図である。
【符号の説明】
【００１２】
１  緊急自動通報器
２  携帯電話
３  自動通報回路搭載イヤホンマイク
４  ボックス
５  スピーカー付き音声収録装置
【図１】
0003133007.tif 000003